(57)【要約】【課題】  ブラジャーのバックテープを均一な厚みに形成して上下両辺の段差を解消し、かつバックテープの縁始末を不要にしてブラジャー製造工程の簡略化を可能にし、しかも着用感を良好にし、着用によりブラ跡ができず、かつバックテープの上辺および下辺が上着の上から透けて見えないようにする。【解決手段】  左右のカップ部11と、その下半部を連結して脇下側に延びる左右の前布12と、この前布の両端から背中に回るテープ状のバックテープ13と、肩紐14とからなるブラジャー10において、上記のバックテープ13が経糸の総本数を変えることなく幅を徐々に変化させながら製織して得られ、かつ経糸方向に伸縮弾性を有する耳付きの織物テープからなり、片側の耳がバックテープの上辺を、他側の耳がバックテープの下辺をそれぞれ形成する。【選択図】      図１
2005248402.tif 000002
【特許請求の範囲】
【請求項１】
左右のカップ部と、この左右のカップ部を連結して脇下側へ延びる前布と、この前布の両端から背中に回るバックテープと、上記のカップ部およびバックテープを連結する左右の肩紐とを備えたブラジャーにおいて、上記のバックテープが経糸の総本数を変えることなく幅を徐々に変化させながら製織して得られ、かつ経糸方向に伸縮弾性を有する耳付きの織物テープからなり、この織物テープは、その広幅側が上記前布に連結され、片側の耳がバックテープの上辺を、他側の耳がバックテープの下辺をそれぞれ形成していることを特徴とするブラジャー。
【請求項２】
バックテープの広幅側端部に幅一定の広幅部分が、また細幅側端部に幅一定の細幅部分がそれぞれ連続して形成されている請求項１記載のブラジャー。
【請求項３】
バックテープを構成する織物テープの緯糸密度が、経糸密度の粗い広幅側では比較的密に設定され、経糸密度の密な細幅側では比較的粗に設定されている請求項１または２に記載のブラジャー。
【発明の詳細な説明】
【技術分野】
【０００１】
この発明は、ブラジャー、特にそのバックテープの構造に関するものである。
【背景技術】
【０００２】
ブラジャーとして、種々のものが知られているが、その多くは、左右のカップ部と、この左右のカップ部を連結して脇下側に延びる前布と、この前布の両端から背中に回る左右のバックテープと、上記のカップ部およびバックテープを連結する左右の肩紐とで構成されている。そして、上記のバックテープは、パワーネット等の伸縮性編地を縦方向（伸長方向）に長い所望形状、例えば台形に裁断し、これを横長に用いて本体とし、その上辺および下辺に沿って細幅の伸縮性リボンを縫い付けて作られていた。例えば、図５はバックテープの断面図であり、（ａ）はバックテープ１の上辺1ａおよび下辺１ｂをそれぞれ折り返し、その折り返し部に伸縮性リボン２を重ねて縫着したものを示し、（ｂ）はバックテープ１の上辺1ａおよび下辺１ｂにそれぞれ伸縮性リボン３を二つ折りにして被せるように玉縁縫いしたものを示し、（ｃ）はバックテープ１の上辺1ａおよび下辺１ｂをそれぞれ袋状に巻き縫いしたものを示す。
【特許文献１】特開2003-278006号公報
【０００３】
したがって、従来のブラジャーは、バックテープの上下両縁に縫製による縁始末を必要とし、工程が増加すると共に、上下両縁が分厚くなり、そのためパワーネット製の本体部との間に段差が生じ、ブラジャーの着用時にバックテープの上下両辺がその張力によって人体に食い込んで所謂ブラ跡が残り、かつ不快な圧迫感を与え、また汗が溜まり易くなり、更にブラウス等の上着の上から透けて見える等の問題があった。
【発明の開示】
【発明が解決しようとする課題】
【０００４】
この発明は、ブラジャーのバックテープを均一な厚みに形成して上下両辺の段差を解消し、かつバックテープの縁始末を不要にしてブラジャー製造工程の簡略化を可能にし、しかも上記バックテープの上辺部、下辺部および両者の中間部の伸縮弾性を任意に設定できるようにし、もって着用感が良く、着用によりブラ跡ができず、かつバックテープの上辺および下辺が上着の上から透けて見えないようにするものである。
【課題を解決するための手段】
【０００５】
この発明に係るブラジャーは、左右のカップ部と、この左右のカップ部を連結して脇下側へ延びる前布と、この前布の両端から背中に回るバックテープと、上記のカップ部およびバックテープを連結する左右の肩紐とを備えたブラジャーにおいて、上記のバックテープが経糸の総本数を変えることなく幅を徐々に変化させながら製織して得られ、かつ経糸方向に伸縮弾性を有する耳付きの織物テープからなり、この織物テープは、その広幅側が上記前布に連結され、片側の耳がバックテープの上辺を、他側の耳がバックテープの下辺をそれぞれ形成していることを特徴とする。
【０００６】
すなわち、この発明のブラジャーでは、バックテープの上辺および下辺が、それぞれ製織された織物テープの片側の耳および他側の耳で構成される。したがって、ブラジャーの組立てに際し、バックテープの上辺および下辺は、端始末のための縫製が不要であり、それだけブラジャーの組立てが容易となる。また、上記の織物テープが経糸方向に伸縮弾性を備えており、この伸縮弾性は経糸にゴム状弾性を有する弾性経糸とゴム状弾性を有しない通常経糸とを混用して製造することができるので、弾性経糸の混用率の設定等により、織物テープの厚みを変えることなく、伸縮弾性率を任意に設定することができ、そのためバックテープの上辺および下辺に別の細幅の伸縮テープを縫着する必要がなく、この点でもブラジャーの組立てが容易となる。そして、バックテープの厚みが均一になるので、ブラジャーの着用感が良好になり、ブラ跡ができることはなく、上着の上から透けることもない。
【０００７】
上記の織物テープは、細幅のテープ織機に筬羽間隔（密度）が上下で異なる筬を取付け、製織の途中で上記の筬を上下に移動し、筬羽間隔すなわち筬通し幅を広くしたり、狭くしたりすることによって製造することができる。そして、ブラジャーのバックテープは、水平方向（胸回り方向）に長いテープ状または帯状に、かつ脇下側が比較的広い幅で、背中側が比較的狭い幅の台形に類似した形状に形成されるが、上記筬の上下移動の速度を変えることにより、上辺および下辺の形状を直線や曲線など任意に設定することができる。なお、上記のブラジャーは、バックテープを左右個別に製造して背中側をフックでつなぐ形式としてもよく、またバックテープを左右一体に製造し、前布を左右のカップの中間で分離し、この左右の前布をフックでつなぐ形式にしてもよい。
【０００８】
上記バックテープの織り組織は任意であり、平織、綾織、朱子織およびその変化組織のいずれでもよい。また、耳組織も、織物テープの全長を通じて経糸本数に増減がなく、ほつれの生じない限り任意であり、シャットルの往復で形成される折返し耳に限らず、無杼織機を用いた場合の房耳、折込み耳、バインダ耳、電熱カット耳等の任意の耳を適宜に選択することができる。そして、製織の際は、前記筬の上下移動によって織物テープの幅を徐々に変更するので、耳経糸が緯糸の張力で屈曲することはなく、滑らかな耳線が形成される。なお、バックテープ１枚分の織物テープの形状は、前布側端部が最大幅部となり、背中側端部が最小幅部となる四辺形が一般的であるが、これに限るものではなく、前記のように上辺および下辺を曲線に形成することができる。
【０００９】
そして、バックテープの広幅側端部に幅一定の広幅部分を、また細幅側端部に幅一定の細幅部分をそれぞれ連続して形成することができ、この場合はテープ幅が安定し、上辺および下辺の傾斜を大きく設定することが容易になる。また、バックテープを構成する織物テープの緯糸密度は、経糸密度の粗い広幅側では比較的密に設定し、経糸密度の密な細幅側では比較的粗に設定することが好ましく、これによってバックテープの外観が均整化され、かつテープ幅の安定性が向上する。
【００１０】
上記の織物テープにおいて、経糸に混用される弾性経糸としては、スパンデックス繊維のフィラメント糸が例示され、特にスパンデックス繊維のフィラメント糸を合成繊維の巻縮加工糸、例えばウーリーナイロン糸で被覆したカバリング糸が好ましい。また、ゴム状弾性を有しない通常経糸および緯糸用の通常緯糸は、天然繊維、再生繊維または合成繊維のいずれでもよいが、合成繊維の生のマルチフィラメント糸とその巻縮加工糸とを混用した場合は、生地を薄くでき、ファッション性が向上し、かつ肌触りがソフトになる点で好ましく、綿繊維や再生繊維を用いた場合は、吸汗性が良好になる点で好ましい。
【発明の効果】
【００１１】
この発明に係るブラジャーは、上記のように、そのバックテープを伸縮性の織物テープで形成したものであり、しかも製織の際に織り幅を適宜に増減しながら所望の形状に成形したものであるから、縁始末が不要となり、縫製部分が減少してブラジャーの組立てが容易となり、かつ厚みが均一になり、従来のように上辺と下辺に沿って厚地部分のできることがないので、ブラジャーの着用感が良好になり、ブラ跡ができることはなく、かつ上着の上から透けて見えることもなく、さらに弾性経糸の配列により、上辺側、下辺側およびその中間部の伸縮弾性を適宜に設定することができる。特に請求項２に係る発明は、幅が広くて経糸密度の粗い部分でも、また幅が狭くて経糸密度の密な部分でも、幅の安定性が良好である。また、請求項３に係る発明は、広幅側分および細幅側の幅の安定性がさらに向上し、かつ外観が良好になる。
【発明を実施するための最良の形態】
【００１２】
実施形態１
図１は、ブラジャー10の右半部を示しており、左右一対のカップ部11と、その下半部を連結して脇下側に延びる前布12と、この前布12の端から背中に回る左右一対のバックテープ13と、上記のカップ部11およびバックテープ13の上辺を連結する左右一対の肩紐14とで構成され、バックテープ13の端部には連結テープ15が接続され、この連結テープ15に複数組の連結用雌フック16が取付けられ、反対の左側連結テープ（図示されていない）に取付けられている連結用雄フックの引っ掛けによって左右のバックテープ13が連結されるようになっている。なお、左右のバックテープ13を連続する一体のテープ状に形成し、代わりに前布12を中間で分離し、任意のフックで接続するようにしてもよい。
【００１３】
上記のバックテープ13は、水平方向に長いテープ状ないしは帯状であって、かつ上下方向の幅が前布12側で広く、連結テープ15側で狭くなるように台形に形成されている。そして、上記のバックテープ13は、好ましくはシャットル式やニードル式のテープ織機を用い、バックテープ13の長さ方向（水平方向）が経糸方向となるように耳付きに製織される。その際、筬として、筬羽間隔が上方で広く、下方で狭く設定されたものを用い、この筬を上下に移動させながら、筬が下降して筬羽間隔が広いときは緯糸の打ち込み間隔を短く、反対に筬が上昇して筬羽間隔が狭いときは緯糸の打ち込み間隔を長くそれぞれ設定し、図２に示すように、左台形部13aと右台形部13bとを交互に、連続して製織し、しかるのち切断線Ｎに沿って裁断して左右のバックテープ13を得、これを用いて、ブラジャー10を組立てる。
【００１４】
実施形態２
前記同様に台形の左台形部13aおよび右台形部13bを交互に製織する際、図３に示すように、左右の台形部13a、13bの広幅側端部間に幅一定の広幅部分13cを、また細幅側端部間に幅一定の細幅部分13dをそれぞれ介在させながら連続して製織し、しかるのち広幅部分13cおよび細幅部分13dをそれぞれ中間の切断線Ｎで切断し、左バックテープ13Aおよび右バックテープ13Bを得る。
【００１５】
図４は、切断して得られた右バックテープ13Bを示し、この右バックテープ13Bの広幅部分13cに前記前布12の端部が接続され、細幅部分13dに連結テープ15が接続される。なお、細幅部分13dの長さを長く設定し、この細幅部分13dに雌フック16（図１参照）を直接固定して連結テープ15とすることができる。また、上記図３の切断線Ｎは、所望により傾斜させることができる。
【実施例】
【００１６】
第１通常経糸としてウーリーナイロン糸78/2Ｔ（デシテックス、以下同様）を77本、第２通常経糸としてウーリーナイロン糸56/2Ｔを56本それぞれ用意し、また弾性経糸としてスパンデックス繊維のカバリング糸470Ｔを46本用意し、また通常緯糸としてウーリーナイロン糸78Ｔを用意し、また片側の耳綴じ用からみ糸としてウーリーナイロン糸33Ｔを用意し、ニードル式のテープ織機を用い、緯糸を２本引き揃え方式で挿入して前記実施形態２（図３参照）の耳付き平織りテープを製織し、染色仕上げ加工を行なった。
【００１７】
その際、広幅部分13cの幅を40mmに、細幅部分13dの幅を20mmにそれぞれ設定した。また、長さは、左右の台形部13aおよび13bを150mmに、また広幅部分13cを30mmに、また細幅部分を130mmにそれぞれ設定した。そして、製織時の緯糸密度を１cm当たり10本、11本、12本、13本、14本、15本、16本、17本と多段に変更し、染色仕上げ後の緯糸密度が広幅部分で41本/cm、細幅部分で23本/cmの織物テープを得た。
【００１８】
得られた織物テープを広幅部13cおよび細幅部13dの各中央の切断線Ｎに沿って切り離し、左右のバックテープ13A、13Bの広幅部13cを前布12（図１参照）の端部裏面に、また細幅部13dを連結テープ15の裏面にそれぞれ重ねて縫着により接続し、上記バックテープの上辺表側に肩紐14の一端を重ねて縫着により接続した。上記のバックテープ13A、13Bは、広幅側に幅一定の広幅部13cを、細幅側に幅一定の細幅部13dをそれぞれ有するので、上記のように切り離したり、染色仕上げを行なったりしても、幅が縮小することなく、寸法安定性が良好であった。
【００１９】
そして、得られたブラジャー10は、そのバックテープ13A、13Bが1枚の平坦な織物製であるため、その上辺および下辺が従来のように隆起することがなく、そのため着用感が良好で、肌にブラ跡ができることはなく、かつ上着の上から見えることもなかった。また、通常経糸の密度と緯糸密度の合計は、広幅側の86本／cmに対し、細幅側が113本／cmとなり、外観が良好で、目ずれも生じなかった。
【図面の簡単な説明】
【００２０】
【図１】ブラジャーの要部の正面図である。
【図２】実施形態１の織物テープの平面図である。
【図３】実施形態２の織物テープの平面図である。
【図４】実施形態２のバックテープの平面図である。
【図５】従来のバックテープの横断面図である。
【符号の説明】
【００２１】
10：ブラジャー
11：カップ部
12：前布
13、13A、13B：バックテープ
13a:左台形部、13b:右台形部
13c：広幅部分、13d：細幅部分
14：肩紐
15：連結テープ
【図１】
2005248402.tif 000003
【図２】
2005248402.tif 000004
【図３】
2005248402.tif 000005
【図４】
2005248402.tif 000006
【図５】
2005248402.tif 000007